(57)【要約】本発明による垂直に開く物品取扱いドアは、保持手段（１１）を含む弾性の保持装置（１０）を有し、保持手段（１１）は一方で間仕切り又は可撓性カーテン（１２）が開放位置と閉鎖位置との間の移動経路に保たれるようにし、他方で、異常が発生した場合には、前記間仕切り又は前記可撓性カーテン（１２）が側方支柱（１３、１４）から外れ又は取り出されるリスクなしで、間仕切り又は可撓性カーテン（１２）が変形し、異常がなくなった後にその初期形状に戻るようにする。
2014520217.tif 000002
【特許請求の範囲】
【請求項１】
開放位置と閉鎖位置との間を移動されて側方支柱（１３、１４）内を動くときに側方をガイドされる間仕切り又は可撓性カーテン（１２）を含む、垂直に開く物品取扱いドアであって、
当該垂直に開く物品取扱いドアは保持手段（１１）を有する弾性の保持装置（１０）を含み、前記保持手段（１１）は側方垂直支柱（１３、１４）に形成される形状（１６）内を垂直方向に動くことができる固定要素（１５）と、前記間仕切り又は前記可撓性カーテン（１２）の厚さ内にその全体の高さに沿って規則的な間隔で配置されるシース（１８）の中に収容される可撓性かつ弾性を示す要素（１７）とを含み、
前記保持手段（１１）は、一方で、前記間仕切り又は前記可撓性カーテン（１２）が開放位置と閉鎖位置との間の移動経路に保たれるようにし、他方で、異常が発生した場合には、前記間仕切り又は前記可撓性カーテン（１２）が前記側方支柱（１３、１４）から外れ又は取り出されるリスクなしで、前記間仕切り又は前記可撓性カーテン（１２）が変形して前記異常がなくなった後に初期形状に戻るようにすることを特徴とする、垂直に開く物品取扱いドア。
【請求項２】
前記保持手段（１１）は、前記側方垂直支柱（１３、１４）に形成される前記形状（１６）内を垂直方向に動くことができる前記固定要素（１５）と、前記間仕切り又は前記可撓性カーテン（１２）の厚さ内にその全体の高さに沿って規則的な間隔で配置される前記シース（１８）の中に収容されている前記可撓性かつ弾性を示す要素（１７）とを含むことを特徴とする、請求項１による垂直に開く物品取扱いドア。
【請求項３】
前記各固定要素（１５）は、前記垂直支柱（１３、１４）に固定された前記形状（１６）の内部形状を補完して、垂直なガイドを前記固定要素（１５）にもたらす形状である第一部分（１５ａ）と、前記対応する可撓性かつ弾性を示す要素（１７）の通過を許容し及び／又はそれを保持する第二部分（１５ｂ）とを含むことを特徴とする、請求項２による垂直に開く物品取扱いドア。
【請求項４】
前記各固定要素（１５）の前記第二部分（１５ｂ）は一方で前記第一部分（１５ａ）の延長に設けられ、他方で前記対応する可撓性かつ弾性を示す要素（１７）が自由に通過するように穴（１５ｃ）が開けられていること、及び、
前記各可撓性かつ弾性を示す要素は弾性連結部材（１７）から成り、該弾性連結部材（１７）の各端部（１７ａ）は、前記穴（１５ｃ）を通過した後に、前記間仕切り又は前記可撓性カーテン（１２）にその側方端部（１２ａ）で固定されることを特徴とする、請求項３による垂直に開く物品取扱いドア。
【請求項５】
前記各弾性連結部材（１７）の前記端部（１７ａ）は、ニッティング、接合、溶接、又はリベット留めによって、前記間仕切り又は前記可撓性カーテン（１２）に固定されることを特徴とする、請求項４による垂直に開く物品取扱いドア。
【請求項６】
各固定要素（１５）は、前記垂直支柱（１３、１４）に固定された前記内部形状（１６）内でガイドをもたらすように意図された外形を有する第一部分（１５ａ）と、該第一部分（１５ａ）を通過して、前記可撓性かつ弾性を示す要素を形成する前記弾性連結部材（１７）の自由端（１７ａ）が内部に固定される内部穴（１５ｄ）を有する第二部分（１５ｂ）とを含むことを特徴とする、請求項３による垂直に開く物品取扱いドア。
【請求項７】
前記弾性連結部材（１７）は、該弾性連結部材（１７）の前記自由端（１７ａ）を前記穴の中に固定するために前記第一部分（１５ａ）にねじ込まれて前記第二部分（１５ｂ）の前記穴（１５ｄ）内に直角に現れる固定ねじによって、前記固定要素（１５）の内部に固定されることを特徴とする、請求項６による垂直に開く物品取扱いドア。
【請求項８】
保護端部ストッパ（１９）が、前記弾性連結部材（１７）及び前記間仕切り又は前記可撓性カーテン（１２）に、前記固定要素（１５）と、前記間仕切り又は前記可撓性カーテンの対応する前記側方端部（１２ａ）との間において配置されることを特徴とする、請求項３による垂直に開く物品取扱いドア。
【請求項９】
前記保持手段（１１）は、前記弾性連結部材（１７）の周り且つ、前記各垂直支柱（１３、１４）のレール（１６）内に位置する前記固定要素（１５）の間に、管又はスペーサ部材（２０）と球状スリーブ（２１）との配列を含み、前記固定要素が前記レール内で機能的クリアランスを有することを確実にするのと同時に、前記弾性連結部材に張力が与えられることを特徴とする、請求項２による垂直に開く物品取扱いドア。
【請求項１０】
前記管又は前記スペーサ部材（２０）と前記球状スリーブ（２１）とは、それらを通過する前記弾性連結部材（１７）を有し、前記各管又は前記スペーサ部材（２０）の間に前記球状スリーブ（２１）が位置し、該球状スリーブ（２１）は前記管又は前記スペーサ部材の各々の間に変形可能な接続をもたらすことを特徴とする、請求項９による垂直に開く物品取扱いドア。
【請求項１１】
前記弾性連結部材（１７）は丸い又は平らな外形を有することを特徴とする、請求項４による垂直に開く物品取扱いドア。
【発明の詳細な説明】
【技術分野】
【０００１】
本発明は、垂直に開く物品取扱いドアの可撓性カーテンを保持するための弾性変形を伴う装置に関する。
【背景技術】
【０００２】
現在、素早く垂直に開く可撓性ドアが間仕切り又は可撓性カーテンを保持するための手段を有し、手段は間仕切り又は可撓性カーテンの全体の高さに亘って規則的な間隔で配置された補強材又は半剛性鋼若しくは複合体の横棒を含むということは周知である。
【０００３】
補強材又は半剛性鋼若しくは複合体の横棒は、間仕切り又は可撓性カーテンの厚さ内に形成されたシース内に概して配置される。
【０００４】
補強材又は半剛性鋼若しくは複合体の横棒は、間仕切り又は可撓性カーテンを、閉鎖位置と開放位置との間で閉鎖される領域でガイドし保持するために、物品取扱いドアの垂直支柱の各端でガイドされる。
【０００５】
補強材又は半剛性鋼若しくは複合体の横棒の全体の相対的な可撓性及び／又は、垂直側方支柱に固定されたガイドの可撓性によって、前記間仕切り又は前記可撓性カーテンの前記面の１つに過度な外力が加えられたときに、間仕切り又は可撓性カーテンがガイドから外れ又は離れ、及び／又は垂直側方支柱から外れる。
【０００６】
この力を発生させることができる多数の事象があるが、主な原因は風又は開口部を通過する車体（フォークリフト、車両など）との衝突によって上昇した圧力である。外れることにより、物品取扱いドアを構成する要素、すなわち垂直支柱及び／又は間仕切り若しくは可撓性カーテンを保護できる。
【０００７】
本発明による弾性の保持装置は、補強材又は半剛性若しくは可撓性の横棒を弾性要素で置換することを目的としており、弾性要素は一方で間仕切り又は可撓性カーテンが開放位置と閉鎖位置との間の移動経路に保たれるようにし、他方で、異常が発生した場合には、前記間仕切り又は前記可撓性カーテンが物品取扱いドアの側方支柱に固定されたガイドから外れ又は取り出されるリスクなしで、間仕切り又は可撓性カーテンが変形し、異常がなくなった後にその初期形状に戻るようにする。
【発明の概要】
【０００８】
故に、本発明による間仕切り又は可撓性カーテンを含む垂直に開く物品取扱いドアは、保持手段を含む弾性の保持装置を有し、保持手段は一方で間仕切り又は可撓性カーテンが開放位置と閉鎖位置との間の移動経路に保たれるようにし、他方で、異常が発生した場合には、前記間仕切り又は前記可撓性カーテンが側方支柱から外れ又は取り出されるリスクなしで、間仕切り又は可撓性カーテンが変形し、異常がなくなった後にその初期形状に戻るようにする。
【０００９】
本発明による垂直に開く物品取扱いドアは弾性の保持装置を有し、保持装置の保持手段は、側方垂直支柱に形成される形状内を垂直方向に動くことができる固定要素と、間仕切り又は可撓性カーテンの厚さ内にその全体の高さに沿って規則的な間隔で配置されるシースの中に収容されている可撓性かつ弾性を示す要素とを含む。
【００１０】
本発明による垂直に開く物品取扱いドアは弾性の保持装置を有し、保持装置の各固定要素は、垂直支柱に固定された形状の内部形状を補完して、垂直なガイドを前記固定要素にもたらす形状である第一部分と、対応する可撓性かつ弾性を示す要素が通過するようにして及び／又はそれを保持する第二部分とを含む。
【００１１】
本発明による垂直に開く物品取扱いドアは弾性の保持装置を有し、保持装置の各固定要素の第二部分は、一方で第一部分の延長に設けられ、他方で対応する可撓性かつ弾性を示す要素が自由に通過するように穴で穴開けされており、各可撓性かつ弾性を示す要素は不連続な形状の弾性連結部材から成り、弾性連結部材の各端部は、穴を通過した後に、間仕切り又は可撓性カーテンにその側方端部で固定される。
【００１２】
本発明による垂直に開く物品取扱いドアは弾性の保持装置を有し、保持装置の各弾性連結部材の端部は、ニッティング、接合、溶接、又はリベット留めによって、間仕切り又は可撓性カーテンに固定される。
【００１３】
本発明による垂直に開く物品取扱いドアは弾性の保持装置を有し、保持装置の各固定要素は、垂直支柱に固定された内部形状内でガイドをもたらすように意図された外形を有する第一部分と、前記第一部分を通過して、可撓性かつ弾性を示す要素を形成する弾性連結部材の自由端が内部に固定される内部穴を有する第二部分とを含む。
【００１４】
本発明による垂直に開く物品取扱いドアは弾性の保持装置を有し、保持装置の弾性連結部材は、弾性連結部材の自由端を前記穴の中に固定するために第一部分にねじ込まれて第二部分の穴内に直角に現れる固定ねじによって、固定要素の内部に固定される。
【００１５】
本発明による垂直に開く物品取扱いドアは保護端部ストッパを含む弾性の保持装置を有し、保護端部ストッパは、弾性連結部材及び間仕切り又は可撓性カーテンに、固定要素と、前記間仕切り又は前記可撓性カーテンの対応する側方端部との間に配置される。
【００１６】
本発明による垂直に開く物品取扱いドアは保持装置を有し、保持手段は、弾性連結部材の周り且つ、各垂直支柱のレール内に位置する固定要素の間に、管又はスペーサ部材と球状スリーブとの配列を含み、この配列は前記固定要素が前記レール内で機能的クリアランスを有することを確実にするのと同時に、前記弾性連結部材に張力が与えられるようにする。
【００１７】
本発明による垂直に開く物品取扱いドアは保持手段を有し、保持手段の管又はスペーサ部材と球状スリーブとは、それらを通過する弾性連結部材を有し、各管又はスペーサ部材の間に球状スリーブが位置し、球状スリーブは前記管又は前記スペーサ部材の各々の間に変形可能な接続をもたらす。
【００１８】
本発明による垂直に開く物品取扱いドアは、丸い又は平らな外形を有する弾性の連結部材を有する。
【００１９】
非限定的な例示として与えられる添付の図面の以下の説明は、本発明、その特徴、及び利益に対するより良い理解をもたらすであろう。
【図面の簡単な説明】
【００２０】
【図１】間仕切り又は可撓性カーテンを保持するための手段を有し、手段は間仕切り又は可撓性カーテンの全体の高さに亘って規則的な間隔で配置される補強材又は半剛性鋼若しくは複合体の横棒を含む、従来技術の可撓性ドアを図示する斜視図である。
【図２−３】本発明による、可撓性カーテンを保持するための弾性変形を伴う装置を含む可撓性カーテンドアを図示する斜視図である。
【図４−５】本発明による、可撓性カーテンを保持するための弾性変形を伴う他の装置を含む可撓性カーテンドアを図示する斜視図である。
【図６−７】本発明による、可撓性カーテンを保持するための弾性変形を伴う装置の代替の形態を図示する斜視図である。
【発明を実施するための形態】
【００２１】
図１は間仕切り又は可撓性カーテン２を保持するための手段を含む従来技術の物品取扱いドア１を示し、該手段は間仕切り又は可撓性カーテンの全体の高さに亘って規則的な間隔で配置されている補強材３又は半剛性鋼若しくは複合体の横棒を含む。
【００２２】
補強材又は半剛性鋼若しくは複合体の横棒３は、間仕切り又は可撓性カーテン２の厚さ内に形成されたシース４内に概して配置される。
【００２３】
補強材又は半剛性鋼若しくは複合体の横棒３は物品取扱いドア１の垂直支柱５、６の各端でガイドされて、間仕切り又は可撓性カーテン２を、閉鎖位置と開放位置との間で閉鎖される領域でガイドし保持する。
【００２４】
補強材又は半剛性鋼若しくは複合体の横棒３の全体の相対的な可撓性及び／又は、垂直側方支柱５、６に固定されたガイドの可撓性によって、前記間仕切り又は前記可撓性カーテン２の前記面の１つに過度な外力が加えられたときに、間仕切り又は可撓性カーテン２がガイド及び／又は垂直側方支柱５、６から外れ又は離れる。
【００２５】
この力を発生させることができる多数の事象があるが、主な原因は風又は開口部を通過する車体（フォークリフト、車両など）との衝突によって上昇した圧力である。外れることにより、物品取扱いドア１を構成する要素、すなわち垂直支柱５、６及び／又は間仕切り若しくは可撓性カーテン２を保護できる。
【００２６】
図２から５は、従来技術の物品取扱いドア１の補強材又は半剛性横棒３を置換することを目的とする、本発明による弾性の保持装置１０を示す。
【００２７】
本発明による弾性の保持装置１０は保持手段１１を含み、保持手段１１は一方で物品取扱いドア１００の間仕切り又は可撓性カーテン１２が開放位置と閉鎖位置との間の移動経路に保たれるようにし、他方で、異常が発生した場合には、前記間仕切り又は前記可撓性カーテンが物品取扱いドア１００の側方支柱１３、１４から外れ又は取り出されるリスクなしで、間仕切り又は可撓性カーテン１２が変形するようにする。
【００２８】
保持手段１１は固定要素１５と可撓性かつ弾性を示す要素１７とを含み、固定要素１５は物品取扱いドア１００の側方垂直支柱１３、１４に形成される形状１６内を垂直方向に動くことができ、可撓性かつ弾性を示す要素１７は間仕切り又は可撓性カーテン１２の厚さ内にその全体の高さに沿って規則的な間隔で配置されるシース１８の中に収容されている。
【００２９】
各固定要素１５は第一部分１５ａ及び第二部分１５ｂを含み、第一部分１５ａは垂直支柱１３、１４に固定された形状１６の内部形状を補完する形状で、第二部分１５ｂは対応する可撓性かつ弾性を示す要素１７が通過するようにし、及び／又はそれを保持する。
【００３０】
図２及び３は弾性の保持装置１０の固定要素１５を示し、固定要素１５の第二部分１５ｂは第一部分１５ａの延長に設けられ、対応する可撓性かつ弾性を示す要素１７が自由に通過するように穴１５ｃで穴開けされている。
【００３１】
この目的のために、各可撓性かつ弾性を示す要素１７は平らな又は丸い外形を有する弾性連結部材から成り、その各端部１７ａは、固定要素１５の第二部分１５ｂに形成される穴１５ｃを通過した後に、間仕切り又は可撓性カーテン１２にその側方端部１２ａで固定される。
【００３２】
弾性連結部材１７の端部１７ａは、例えばニッティング（knitting）、接合、溶接、又はリベット留めによって、間仕切り又は可撓性カーテン１２に固定される。
【００３３】
この例示の実施形態において、固定要素１５、より具体的には第二部分１５ｂの形状によって、垂直支柱１３、１４に固定されたガイド形状１６の外側で間仕切り又は可撓性カーテン１２の各連続した垂直側方端部１２ａが保持されることが理解されるであろう。
【００３４】
図４及び５は、本発明による弾性の保持装置１０の固定要素１５を具体化する他の手段を図示する。
【００３５】
固定要素１５は、第一部分１５ａ及び第二部分１５ｂを含み、第一部分１５ａは垂直支柱１３、１４に固定された内部形状１６内でガイドをもたらすように意図された外形を有し、第二部分１５ｂは、第一部分１５ａを通過し、弾性連結部材１７の自由端１７ａが内部に固定される、内部穴１５ｄを有する。
【００３６】
弾性連結部材１７は、例えば、弾性連結部材１７の自由端１７ａを前記穴の中に固定するために第一部分１５ａにねじ込まれて第二部分１５ｂの穴１５ｄ内に直角に現れる固定ねじ、図示なし、を使用して、固定要素１５の内部に挿入されて固定される。
【００３７】
連結部材１７は、本発明の主題を変更することなく、いかなる他の手段によっても固定要素１５内に固定され得る。
【００３８】
各連結部材１７の各端に配置される固定要素１５は保護端部ストッパ１９を伴う場合があり、保護端部ストッパ１９は弾性連結部材１７及び間仕切り又は可撓性カーテン１２に、固定要素１５と、前記間仕切り又は前記可撓性カーテンの対応する側方端部１２ａとの間に配置される。
【００３９】
各端部ストッパ１９は、間仕切り又は可撓性カーテン１２の側方端部１２ａが、物品取扱いドア１００の対応する垂直支柱１３、１４の縁と接触するのを防ぐ。
【００４０】
この連結部材が束縛されていない領域、つまり弾性連結部材１７が間仕切り又は可撓性カーテン１２のシース１８から現れてその端部１７ａが固定要素１５内又は前記カーテンのいずれかに固定される前の領域において、各保護端部ストッパ１９はそれを通過する対応する弾性連結部材１７を有する。
【００４１】
このように、上述の本発明による弾性の保持装置１０は、間仕切り又は可撓性カーテン１２を、開放位置と閉鎖位置との間で動くときに支柱１３、１４内に保持することができ、異常（外部衝撃又は上昇した圧力）が発生した場合には、連結部材１７の可撓性のおかげでそのガイド又は固定要素１５を離れることなく前記間仕切り又は前記可撓性カーテン１２が変形し、この操作異常がなくなるまでそうして、次に前記間仕切り又は前記カーテンがその初期形状に戻るようにできる。
【００４２】
図６及び７は本発明による保持装置１０の代替形態を示し、その保持手段１１は弾性連結部材１７が、物品取扱いドア１００の支柱１３、１４のレールの間よりも、間仕切り又は可撓性カーテン１２のシース１８内で張力を受けた状態で維持されるようにする。
【００４３】
そうするために、保持手段１１は、弾性連結部材１７の周り且つ、各垂直支柱１３、１４のレール１６内に位置する固定要素１５の間に、管又はスペーサ部材２０と球状スリーブ２１との配列を含む。
【００４４】
管又はスペーサ部材２０と球状スリーブ２１とは、それらを通過する弾性連結部材１７を有し、各管又はスペーサ部材２０の間に球状スリーブ２１が位置し、球状スリーブ２１は前記管又はスペーサ部材の各々の間に変形可能な接続をもたらす。
【００４５】
弾性連結部材１７周りの管２０及び球状スリーブ２１のこの配列は、弾性連結部材１７に支柱１３、１４のレールに保持される固定要素１５の間の張力でプレストレスを与えられるようにする。
【００４６】
間仕切り又は可撓性カーテン１２のシース１８内の弾性連結部材１７に張力をプレストレスすることによって、固定要素１５が物品取扱いドア１００の各支柱１３、１４のレール内に機能的クリアランスを有することを確実にすることができる。
【００４７】
同様に、弾性連結部材１７に張力をプレストレスすることによって、間仕切り又は可撓性カーテン１２が、開放位置と閉鎖位置との間で動くときに適正に動作することを確実にする、ある程度の剛性を有することを確実にする。
【００４８】
弾性連結部材１７周りの管又はスペーサ部材２０と球状スリーブ２１との配列は、弾性連結部材１７に沿って、各球状スリーブ２１で変形可能な部分を構成し、この部分は外力が前記間仕切り又は可撓性カーテンに加えられるときに、配列が間仕切り又は可撓性カーテン１２、故に弾性連結部材１７の変形に従うようにする。
【００４９】
さらに、上述の説明は単に例示のみを目的としており、いかなる方法によっても発明の分野を制限せず、記載された実施形態の詳細を他の同等の詳細によって置換することは本発明の範囲から逸脱するものではないことを理解されたい。
【図１】
2014520217.tif 000003
【図２】
2014520217.tif 000004
【図３】
2014520217.tif 000005
【図４】
2014520217.tif 000006
【図５】
2014520217.tif 000007
【図６】
2014520217.tif 000008
【図７】
2014520217.tif 000009
【国際調査報告】
2014520217.tif 000010
2014520217.tif 000011
2014520217.tif 000012
2014520217.tif 000013